(57)【要約】 【課題】  簡単な構造でカバーの被着状態を検知する。【解決手段】  ハウジング４０のキャビティ４５内には、端子金具２１Ａ，２１Ｂが後方から挿入され、金属ランス２８により一次係止される。ハウジング４０の後面には、端子金具２１Ａ，２１Ｂの後面に係止してリテーナとして機能するカバー７０が被着され、カバーロック片６０でロックされる。カバー７０の後面からは検知部材１００が差し込み可能であり、カバー７０が半ロック状態にあると、検知片１０３が撓み空間６０Ａに撓み変形しているカバーロック片６０に当たることでこれが検知される。この検知片１０３は、ハウジング４０と相手ハウジング１１との間をロックするハウジングロック片５０の撓み空間５０Ａにも進入し、半ロック状態のときにこれを併せて検知できる。【選択図】  図２９
2006127803.tif 000002
【特許請求の範囲】
【請求項１】
端子金具が収容されるハウジングにはその後面を覆うカバーが設けられ、このカバーに係止して被着状態にロックする撓み変形可能なカバーロック片が設けられるとともに、相手のハウジングとの間を正規嵌合状態にロックする弾性変形可能なハウジングロック片が設けられたコネクタにおいて、
前記カバーの後方から装着可能であって、前記ハウジングロック片の撓み空間に進入するハウジング用検知片を有する検知部材が備えられ、この検知部材には、その装着に伴い前記カバーロック片の撓み空間に進入するカバー用検知片が設けられていることを特徴とするコネクタ。
【請求項２】
前記カバーロック片の撓み空間と、前記ハウジングロック片の撓み空間とが同一経路上に沿って連通して設けられているとともに、前記検知部材には、前記両撓み空間に共通して貫通する検知片が設けられており、この検知片が、前記カバー用検知片と前記ハウジング用検知片とを兼用していることを特徴とする請求項１記載のコネクタ。
【請求項３】
前記検知部材が、手前側の仮係止位置とそこより深い本係止位置とに差し込まれて保持可能となっており、前記検知部材が前記仮係止位置に差し込まれるときには前記カバー用検知片が前記カバーロック片の撓み空間に進入可能で、前記本係止位置に差し込まれるときには前記ハウジング用検知片がハウジングロック片の撓み空間に進入可能となっていることを特徴とする請求項１または請求項２記載のコネクタ。
【請求項４】
前記検知部材が前記仮係止位置に保持された状態では、前記カバー用検知片がカバーロック片の撓み空間に留まってその撓み変形を規制するとともに、前記本係止位置に保持された状態では、前記ハウジング用検知片がハウジングロック片の撓み空間に留まってその撓み変形を規制する構成となっていることを特徴とする請求項３記載のコネクタ。
【請求項５】
前記検知部材が前記本係止位置に保持された状態では、前記カバー用検知片もカバーロック片の撓み空間に依然として留まってその撓み変形を規制する構成となっていることを特徴とする請求項４記載のコネクタ。
【発明の詳細な説明】
【技術分野】
【０００１】
本発明は、カバーが装着されるコネクタに関する。
【背景技術】
【０００２】
従来より、ハウジングから引き出された電線群の向きを変えて保持したり、電線の引き出し部分を保護する等を目的とし、ハウジングの後面にカバーを被着してロック機構により保持したものは公知である（例えば、特許文献１参照）。
【特許文献１】特開２００３−４５５５４公報
【発明の開示】
【発明が解決しようとする課題】
【０００３】
一方、上記のようなカバーに対して、ハウジングに収容された端子金具の後面に当てて二重に抜け止めする、言わばリテーナの機能を要求したものもあるが、カバーが浮いた状態のように正規に被着されていないと、仮に端子金具が正規位置まで挿入されることなく一次係止されていない場合でもこれを検知できず、すなわち端子金具が半挿入状態のままに留まることを許容してしまうという問題があり、その対策が切望されていた。  
本発明は上記のような事情に基づいて完成されたものであって、その目的は、簡単な構造でもってカバーが正規に被着されているか否かを検知できるようにするところにある。
【課題を解決するための手段】
【０００４】
上記の目的を達成するための手段として、請求項１の発明は、端子金具が収容されるハウジングにはその後面を覆うカバーが設けられ、このカバーに係止して被着状態にロックする撓み変形可能なカバーロック片が設けられるとともに、相手のハウジングとの間を正規嵌合状態にロックする弾性変形可能なハウジングロック片が設けられたコネクタにおいて、前記カバーの後方から装着可能であって、前記ハウジングロック片の撓み空間に進入するハウジング用検知片を有する検知部材が備えられ、この検知部材には、その装着に伴い前記カバーロック片の撓み空間に進入するカバー用検知片が設けられている構成としたところに特徴を有する。
【０００５】
請求項２の発明は、請求項１に記載のものにおいて、前記カバーロック片の撓み空間と、前記ハウジングロック片の撓み空間とが同一経路上に沿って連通して設けられているとともに、前記検知部材には、前記両撓み空間に共通して貫通する検知片が設けられており、この検知片が、前記カバー用検知片と前記ハウジング用検知片とを兼用しているところに特徴を有する。
【０００６】
請求項３の発明は、請求項１または請求項２に記載のものにおいて、前記検知部材が、手前側の仮係止位置とそこより深い本係止位置とに差し込まれて保持可能となっており、前記検知部材が前記仮係止位置に差し込まれるときには前記カバー用検知片が前記カバーロック片の撓み空間に進入可能で、前記本係止位置に差し込まれるときには前記ハウジング用検知片がハウジングロック片の撓み空間に進入可能となっているところに特徴を有する。
【０００７】
請求項４の発明は、請求項３に記載のものにおいて、前記検知部材が前記仮係止位置に保持された状態では、前記カバー用検知片がカバーロック片の撓み空間に留まってその撓み変形を規制するとともに、前記本係止位置に保持された状態では、前記ハウジング用検知片がハウジングロック片の撓み空間に留まってその撓み変形を規制する構成となっているところに特徴を有する。  
請求項５の発明は、請求項４に記載のものにおいて、前記検知部材が前記本係止位置に保持された状態では、前記カバー用検知片もカバーロック片の撓み空間に依然として留まってその撓み変形を規制する構成となっているところに特徴を有する。
【発明の効果】
【０００８】
＜請求項１の発明＞
検知部材は本来的には両ハウジングが正規嵌合状態にあるか否かを検知することに用いられ、両ハウジングが半嵌合状態にあるときには、ハウジングロック片が撓み空間に変形して臨んでいるために、ハウジング用検知片がそれに突き当たって進入が規制されることにより、両ハウジングが半嵌合であることが検知される。また、カバーが正規に被着されていないと、カバーロック片がその撓み空間に変形して留まっているため、カバー用検知片が突き当たって進入が規制されることで、カバーが半被着状態にあることが検知される。  
検知部材によりカバーが正規に被着されたか否かを検知することができ、しかもその検知部材はハウジング同士の嵌合状態を検知する部材と兼用しているから、構造もコンパクトにまとめることができる。
【０００９】
＜請求項２の発明＞
カバー用検知片とハウジング用検知片とを１つの検知片で兼用したから、検知部材の構造がよりコンパクトにできるとともに、検知部材の装着スペースも小さく抑えることができる。  
＜請求項３の発明＞
検知部材が仮係止位置に向けて差し込まれることに伴い、カバー用検知片がカバーロック片の撓み空間に進入することで、カバーが正規に被着されたか否かが検知され、さらに本係止位置に向けて差し込まれることに伴い、ハウジング用検知片がハウジングロック片の撓み空間に進入することで、ハウジング同士が正規嵌合されたか否かが検知される。
【００１０】
＜請求項４の発明＞
カバーが正規に被着されている場合は、検知部材が仮係止位置で保持された際に、カバー用検知片がカバーロック片の撓み空間に留まってカバーロック片が不用意に撓み変形することが阻止され、すなわちカバーが被着状態に二重ロックされる。また両ハウジングが正規嵌合されている場合は、検知部材が本係止位置で保持された際に、ハウジング用検知片がハウジングロック片の撓み空間に留まってハウジングロック片が不用意に撓み変形することが阻止され、すなわち両ハウジングが正規嵌合状態に二重ロックされる。  
＜請求項５の発明＞
検知部材が本係止位置で保持された際には、カバーの二重ロックと、ハウジング間の二重ロックの両方を図ることができる。
【発明を実施するための最良の形態】
【００１１】
＜実施形態＞
以下、本発明の一実施形態を添付図面に基づいて説明する。  
この実施形態ではインフレータ用のコネクタ、すなわちインフレータを内蔵したエアバッグ装置に対して接続されるコネクタを例示している。  
初めに、エアバッグ装置に設けられた相手コネクタ１０について、図２７及び図３０を参照して説明する。この相手コネクタ１０は機器直結型であって、装置の壁面から一体的に突設された厚肉の円筒形をなすハウジング１１を有している。このハウジング１１の内側にはガイド体１２が一体的に嵌着され、このガイド体１２には、詳しくは後記するコネクタ２０（１２０）のタワー部４４を嵌合するガイド孔１２が形成されている。ハウジング１１内におけるガイド孔１２の奥面からは、インフレータ側に接続された２本の端子ピン１３が、間隔を開けて横方向に並んで突設されている。
【００１２】
上記のガイド孔１２の上面は、一段上がってショート端子１５の装着面１４とされている。ショート端子１５は、端子ピン１３同士と同じ間隔で二股に分かれた接触片１６を備え、各接触片１６は、途中で一段下がった形態で後方に延出し、延出端が下方に直角曲げされた形状となっている。両接触片１６の段付き部分はテーパ部１６Ａとなっている。このショート端子１５における両接触片１６の基端側を連結した部分が装着面１４の前部位置に埋設され、両接触片１６は装着面１４の下方を通って後方に延出して、それぞれの下向きの延出端１６Ｂが対応する端子ピン１３の基端部に上方から弾性的に接触し、常には両端子ピン１３の間が短絡状態に保持されるようになっている。  
また、ガイド孔１２における左右の側壁は、前側の大部分が切除されて開放されているとともに、ハウジング１１の左右の内壁面には、図３０に示すように、前縁から所定寸法入った位置において、ロック溝１８が周方向に沿って形成されている。
【００１３】
続いて、インフレータ側のコネクタを説明する。このコネクタは、ハウジング内に、電線の端末に固着された端子金具等が収容されたものであるが、上記した相手の端子ピン１３と接続される場合を睨んだ端子金具の向きと、電線の引き出される方向とが直角をなし、９０°タイプと称される第１コネクタ２０と、同端子金具の向きと電線の引き出し方向とが反対向きであって、１８０°タイプと称される第２コネクタ１２０とを備えている。
【００１４】
以下、それぞれに説明する。  
第１コネクタ２０は、図１に示すように、ハウジング４０と、ハウジング４０に装着される第１ないし第３の３本の端子金具２１Ａ〜２１Ｃ並びにコイル３０と、ハウジング４０の後面に被着される第１及び第２の２枚のカバー７０，９０と、このハウジング４０と、上記したインフレータ側コネクタ１０のハウジング１１とが正規嵌合されたか否かを検知する検知部材１００とから構成されている。  
コイル３０は、ノイズ除去用として機能するものであり、両端から一対のリード線３１が同じ方向を向いて互いに平行姿勢で延出されている。
【００１５】
端子金具２１は、銅合金等の導電性に優れた金属板をプレス加工して形成されている。
第１端子金具２１Ａは、図７に示すように、雌型接続部２２の後端にリード部２５Ａが設けられた形状であって、雌型接続部２２は、角筒部２３の左右の側面から一対の接触片２４が内方に叩き出された構造であって、上記した端子ピン１３が前方から進入して両接触片２４と弾性的に接続されるようになっている。雌型接続部２２の下面には、金属ランス２８が切り起こしによって形成されている（図１６参照）。  
雌型接続部２２の底板の後縁から、バスバー状のリード部２５Ａが下向きに直角曲げされて連設されている。このリード部２５Ａは正面から見て、図７に示すように、短寸法垂下したのち右斜め下方に屈曲され、さらに右方に屈曲されたのち、その右向きの先端の下縁側が拡幅されて、コイル３０の一方のリード線３１と溶接されるコイル溶接部２６とされている。
【００１６】
第２端子金具２１Ｂは、第１端子金具２１Ａと同様に、雌型接続部２２の後端に、バスバー状のリード部２５Ｂが下向きに直角曲げされて連設された形状であるが、リード部２５Ｂについては正面から見て、短寸法垂下したのち、右側と下側とに二段にわたってクランク状に曲げられている。また、リード部２５Ｂにおける一段目の角が、第１端子金具２１Ａのリード部２５Ａの斜め部と平行をなす斜め姿勢に形成されているとともに、下向きの先端が左右両側に拡幅されて、一方の電線３５の芯線３６と溶接される電線溶接部２７とされている。
【００１７】
第３端子金具２１Ｃは、略Ｌ形に切断されたバスバーによって形成され、一端は正面から見て左側を、他端は下側を向いており、角の部分が、上記した両リード部２５Ａ，２５Ｂの斜め部と平行をなす斜め姿勢に形成されている。この第３端子金具２１Ｃの左側を向いた一端は、下縁側が拡幅されてコイル３０の他方のリード線３１と溶接されるコイル溶接部２６とされているとともに、下向きの他端が左右両側に拡幅されて、他方の電線３５の芯線３６と溶接される電線溶接部２７とされている。
【００１８】
ハウジング４０は、ＰＢＴ（ポリブチレンテレフタレート）等の合成樹脂製であって、図２ないし図５にも示すように、全体としては、上側が拡幅された段付きの縦長の厚板状に形成され、上側が端子収容部４１、下側が電線収容部４２となっている。端子収容部４１の前面におけるぼぼ中央高さ位置には、タワー部４４が突設されており、このタワー部４４は相手コネクタ１０のガイド孔１２内に嵌合可能となっている。タワー部４４内には、第１端子金具２１Ａと第２端子金具２１Ｂの雌型接続部２２が後方から挿入可能とされる２つのキャビティ４５が、端子ピン１３と同じピッチで横方向に並んで形成されている。  
キャビティ４５の前壁には、相手の端子ピン１３が挿入可能な端子挿入口４６が開口されているとともに、底面には、雌型接続部２２が正規位置まで挿入された際に、金属ランス２８が弾性的に係止可能な係止部４７が形成されている。
【００１９】
ハウジング４０におけるタワー部４４の回り、詳細には左右両側と、上側の中央を除いた領域にわたり、検知部材１００を挿通する挿通路４９が前後方向に貫通して形成されている。端子収容部４１の前面における左右の挿通路４９の外側の位置には、このハウジング４０と、上記した相手コネクタ１０のハウジング１１との間を嵌合状態にロックするための一対のハウジングロック片５０が突設されている。このハウジングロック片５０は、相手のハウジング１１の内周面に沿って挿入可能に、外面が円弧形となっていて、その外面には、相手のハウジング１１のロック溝１８に嵌る断面山形をなすロック突条５１が形成されており、先端が内方の挿通路４９側に向けて撓み変形可能となっている。
【００２０】
ハウジング４０の後面には、図３及び図６に示すように、端子収容部４１の上縁に沿って、コイル３０が収容されるコイル収容凹部５４が形成されているとともに、端子収容部４１の下部側から電線収容部４２の上部側にわたり、第１端子金具２１Ａと第２端子金具２１Ｂのリード部２５Ａ，２５Ｂと、第３端子金具２１Ｃとを収容する端子収容溝５５が形成されている。  
また、電線収容部４２の下部位置には、電線３５における被覆３７の端末を収容する電線収容溝５６が２本、端子収容溝５５から続いて下縁に開放して形成されている。端子収容溝５５の溝底には、複数本の食い込み突条５７が長さ方向に間隔を開けて形成されている。
【００２１】
ハウジング４０における端子収容部４１の後面と、電線収容部４２の後面とには、それぞれ第１カバー７０と第２カバー９０とが被せられるようになっている。両カバー７０，９０は、ハウジング４０と同様に、ＰＢＴ等の合成樹脂製である。  
第１カバー７０は端子収容部４１の後面を覆い、特に第１端子金具２１Ａと第２端子金具２１Ｂの雌型接続部２２の後面を押さえ、雌型接続部２２を二重に抜け止めする機能を果たすようになっている。
【００２２】
一方、上記した電線３５と、第１ないし第３の端子金具２１Ａ〜２１Ｃと、コイル３０とは、所定に配置されて溶接により接続されることで、アッセンブリ化されるようになっており、そのアッセンブリ作業が第１カバー７０を利用して行われる。  
そのため第１カバー７０の内面には、図７及び図８に示すように、その上縁に沿った位置にコイル３０の保持凹部７１が設けられ、上下両側にコイル３０を挟む位置決め部７２が突設されている。また、同内面における幅方向の中央部で少し下方に寄った領域には、第１端子金具２１Ａと第２端子金具２１Ｂにおける雌型接続部２２の後面からリード部２５Ａ，２５Ｂにわたる所定箇所、並びに第３端子金具２１Ｃの所定箇所を載せる都合３本の載置部７３が隆起して形成されており、各載置部７３の表面の両側には、載せられた部位を適宜に挟んで位置決めする位置決め突部７４が形成されている。
【００２３】
また、上記の載置部７３を設けた領域における左右両側と、上側の中央を除いた領域、すなわちハウジング１１の挿通路４９と対応した位置には、検知部材１００等を挿通する窓孔７６が開口されている。ただし左右の窓孔７６は、挿通路４９に比べて外側に幅広となっている。また、左右の窓孔７６の下端部には、斜め外側の位置で連通するようにして、溶接用開口７７が形成されている。
【００２４】
続いて、アッセンブリの手順について説明する。自動溶接機の設置台（図示せず）に、図９に示すように第１カバー７０がセットされると、まずコイル３０が保持凹部７１に載せられ、両リード線３１が第１カバー７０の左右の側縁に沿って配線されると、それぞれの先端が各溶接用開口７７に達する。両リード線３１の先端の少し手前の部分が、保持溝７８に嵌められることで、両リード線３１の先端は、載置部７３の表面とほぼ同じ高さ位置において、上記のように溶接用開口７７に臨んだ状態となる。
【００２５】
次に、載置部７３に対してそれぞれ第１ないし第３の端子金具２１Ａ〜２１Ｃが位置決めされて載置されると、第１端子金具２１Ａのリード部２５Ａのコイル溶接部２６が、一方の溶接用開口７７に臨んで、コイル３０の一方のリード線３１の先端に重なり、また第３端子金具２１Ｃのコイル溶接部２６が他方の溶接用開口７７に臨み、コイル３０の他方のリード線３１の先端に重なる。  
それとともに、第２端子金具２１Ｂのリード部２５Ｂの電線溶接部２７と、第３端子金具２１Ｃの電線溶接部２７とが、第１カバー７０の下方に間隔を開けて並んで突出する。
そののち、両電線溶接部２７の裏面側に、対応する電線３５の芯線３６の端末が当てられて重ねられ、都合４箇所の重ね合わせ部分がスポット溶接（符号ｗ）によって接続され、これにより、２本の電線３５の端末と、第１ないし第３の端子金具２１Ａ〜２１Ｃと、コイル３０とが、所定の配線系列に接続されてアッセンブリ化される。
【００２６】
第１カバー７０を被着状態にロックするためのロック構造は、以下のようである。まず第１カバー７０の上縁から、上ロック片８０が前方に向けて撓み変形可能に突設されているとともに、ハウジング４０の上面には、図４に示すように、上ロック片８０が進入可能な溝５８が切られ、その溝底に、上ロック片８０に設けられた鈎部８１が係止可能な係止突部５９が形成されている。
【００２７】
それに加え、ハウジング１１の端子収容部４１の後面側から、一対のカバーロック片６０が突設されている。このカバーロック片６０は、図５に示すように、上記したハウジングロック片５０の裏側の位置において形成されており、先端の外面側に鈎形のロック突部６１が形成されて、先端が挿通路４９側である内方に向けて撓み変形可能となっている。一方、第１カバー７０に開口された窓孔７６における外側の側縁には、図１及び図２８（Ｂ）に示すように、係止溝８２が形成されており、第１カバー７０が正規に被着された場合には、カバーロック片６０のロック突部６１が、対応する係止溝８２に嵌って係止するようになっている。  
なお、第１カバー７０の内面の左右両側縁には、一対のガイドリブ８３が立てられているとともに、ハウジング４０の後面における左右の側縁には、ガイドリブ８３が嵌るガイド溝６３が形成されている。
【００２８】
一方、第２カバー９０は、電線収容部４２の後面から左右の側面を覆って装着され、両電線３５、特に被覆３７の端末を押さえて保持する機能を果たすようになっている。  
第２カバー９０の本体板９１の内面には、図１０及び図１１に示すように、その下方位置において、上記したハウジング４０側の電線収容溝５６との間で、電線３５における被覆３７の端末を挟持する２本の挟持部９２が突設され、その表面にも、同様に複数本の食い込み突条９３が形成されている。なお、両挟持部９２の間と外側とにはスペーサ９４が立てられ、その間に電線３５の引出口９５が構成されるようになっている。また、同本体板９１の内面の上部位置には、第２端子金具２１Ｂのリード部２５Ｂと、第３端子金具２１Ｃにおける電線溶接部２７の上方位置を端子収容溝５５に向けて押し付ける押圧部９６が突設されている。  
また、側板の内面の突出端縁側にはロック突条９７が形成されているとともに、ハウジング４０の電線収容部４２における側壁の外面には、ロック突条９７に係止する係止突条６４が形成されている。
【００２９】
さて、第１カバー７０の後面には、検知部材１００が装着されるようになっている。検知部材１００も、同様にＰＢＴ等の合成樹脂製であって、図１２ないし図１５に示すように、第１カバー７０に形成された窓孔７６を覆うベース板１０１の前面から、第１カバー７０の窓孔７６からハウジング４０の挿通路４９にわたって挿通可能な上壁１０２と、左右の側壁とが突設された形状であって、この側壁が検知片１０３となっている。  
第１カバー７０の後面には、検知部材１００のベース板１０１を面一に嵌めるための装着凹部８５が形成されているとともに、ベース板１０１の下側の両角には、第１カバー７０の溶接用開口７７を塞ぐ蓋部１０４が形成されている。
【００３０】
検知部材１００の上壁１０２には、窓孔７６並びに挿通路４９における上辺の塞がれた部分を逃がすべく、幅方向の中央部において逃がし溝１０５が形成されている。上壁１０２の先端における逃がし溝１０５を挟んだ両側には、一対の解離片１０６が突設されており、この解離片１０６は、後記するように検知部材１００が本係止位置まで押し込まれたときに、ショート端子１５の接触片１６と係合して、これを装着面１４側に向けて撓み変形させることに機能する。
【００３１】
検知片１０３には、検知部材１００をハウジング１１に対して仮係止位置と本係止位置とにそれぞれ保持する保持片１０７が形成されている。この保持片１０７は、上下にスリット１０８が入れられることで前方に延出した片持ち梁に形成され、かつ先端側の内面が先細り状に形成されていて、先端側が互いに接近する方向に撓み変形可能となっている。一方、保持片１０７の先端側の外面には保持突部１０９が形成され、この保持突部１０９は、後面側が切り立った面で、前面側がテーパ面に形成されている。
【００３２】
検知部材１００が第１カバー７０の窓孔７６からハウジング４０の挿通路４９に向けて差し込まれることに伴い、両検知片１０３は、ハウジング４０に設けられたカバーロック片６０とハウジングロック片５０の内面に沿うようにし、すなわちそれらの撓み空間６０Ａ，５０Ａに順次に進入するようになっている。  
一方、カバーロック片６０の内面には、図５に示すように、突出端から所定寸法入った位置にわたって、保持片１０７の保持突部１０９を挿通する挿通溝６６が形成され、その奥に、保持突部１０９が嵌る仮係止孔６７が形成されている。また、さらにその奥では、ハウジングロック片５０の基端側の内面に、保持突部１０９が嵌る本係止孔６８が形成されている。
【００３３】
したがって検知部材１００が差し込まれると、まず図３１（Ｂ）に参照して示すように、保持片１０７の保持突部１０９が仮係止孔６７に嵌って検知部材１００が一旦保持され、この位置が仮係止位置となる。この仮係止位置では、検知片１０３がカバーロック片６０の撓み空間６０Ａに進入する一方、ハウジングロック片５０の撓み空間５０Ａの手前に留まり、その撓み変形を許容する状態にある。  
この状態から検知部材１００がさらに押し込まれると、図３３（Ｂ）に参照して示すように、保持突部１０９が本係止孔６８に嵌って検知部材１００が保持される。この位置が本係止位置であって、この本係止位置では、検知片１０３の前部側がハウジングロック片５０の撓み空間５０Ａに、後部側がカバーロック片６０の撓み空間６０Ａに進入するようになっている。また、上壁１０２に設けられた解離片１０６が、同ハウジング４０が相手コネクタ１０のハウジング１１と嵌合されている場合に、同ハウジング１１内に装着されたショート端子１５の接触片１６と接触可能な解離位置まで進出するようになっている。
【００３４】
次に、第２コネクタ１２０を説明する。第２コネクタ１２０は、端子金具２１（雌型接続部２２）の向きと電線３５の引き出し方向とが反対向きであって、１８０°タイプと称されるものであり、図１８に示す構成部品により構成されている。  
ここで第１コネクタ２０と比べると、図２４にも示すように、アッセンブリにおいて、第２端子金具２１Ｂがリード部２５Ｂにおける電線溶接部２７の上方位置で、また第３端子金具２１Ｃが同じく電線溶接部２７の上方位置でそれぞれ直角曲げされている点と、それに伴いハウジング１２１と、電線収容部１２２側に被着されるカバー１３０（以下、第３カバー１３０という）の形状が相違し、一方、端子収容部４１側に被着される第１カバー７０と、検知部材１００とは共用されている。
【００３５】
ただし、アッセンブリについては、上記第１コネクタ２０側と同様、図９に示されるように、第１カバー７０を利用して、電線３５と、第１ないし第３の端子金具２１Ａ〜２１Ｃと、コイル３０とが所定に配置されて溶接により接続される。そののち同図の鎖線に示されたように、第２端子金具２１Ｂがリード部２５Ｂにおける電線溶接部２７の上方位置の折曲線ｓで、また第３端子金具２１Ｃが同じく電線溶接部２７の上方位置の折曲線ｓでそれぞれ直角曲げされることで、第２コネクタ１２０のアッセンブリが形成される。言い換えると、第２コネクタ１２０のアッセンブリは、第１コネクタ２０のアッセンブリに対して、第２端子金具２１Ｂと第３端子金具２１Ｃとが最終的にＬ型に曲げ形成されただけで、元の構成部品はすべて同じである。したがって、第２コネクタ１２０の構成部品において第１コネクタ２０と異なるのは、ハウジング１２１と第３カバー１３０のみである。
【００３６】
第２コネクタ１２０側のハウジング１２１は、図１９ないし図２１に示すように、端子収容部４１と電線収容部１２２とが直交したＬ字形に形成され、端子収容部４１については第１コネクタ２０のそれと同じ形状であり、それに伴い、後面に被着される第１カバー７０と、この第１カバー７０の後面側に装着される検知部材１００も、上記したように第１コネクタ２０側と同一形状で共用可能である。  
一方の電線収容部１２２は横向きとなる関係で、図２１に示すように、その上面に、アッセンブリのうちの第２端子金具２１Ｂのリード部２５Ｂの屈曲された部分とそれに接続された電線３５、及び第３端子金具２１Ｃの屈曲された部分とそれに接続された電線３５とを収容する前後方向を向いた２本の収容溝１２３が、並んで形成されている。この収容溝１２３は、図２４に示すように、電線溶接部２７よりもやや広い幅を持って後縁に開口して形成されているとともに、収容溝１２３の上面の開口縁は、抜け止め用に幅が狭められている。  
また収容溝１２３の溝底は、前側（端子収容部４１に近い側）で、電線溶接部２７からその前の部分を載せるべく平面部１２４とされている一方、後側では、電線３５の被覆３７の端末を載せるべく円弧面部１２５とされていて、この円弧面部１２５には、複数本の食い込み突条１２６が長さ方向に間隔を開けて形成されている。
【００３７】
第３カバー１３０は、電線収容部１２２の上面から左右の側面を覆って装着され、両電線３５、特に被覆３７の端末を押さえて保持する機能を果たすようになっている。  
第３カバー１３０の本体板１３１の下面には、図２２及び図２３に示すように、上記したハウジング１２１側の収容溝１２３の上面開口内に進入可能な幅狭の２本の挟持部１３２が突設され、この挟持部１３２は、円弧面部１２５側の溝底との間で、電線３５における被覆３７の端末を挟持可能であり、その表面にも、同様に複数本の食い込み突条１３３が形成されている。  
また、側板１３５の内面の突出端縁側にはロック突条１３６が形成されているとともに、ハウジング１２１の電線収容部１２２における側壁の外面には、ロック突条１３６に係止する係止突条１２８が形成されている。  
その他、第１コネクタ２０側と共用する部材、さらには同一機能を有する部位については、同一符号を付すことによって、説明を簡略化または省略する。
【００３８】
続いて、本実施形態の作用を説明する。  
初めに、第１コネクタ２０を相手コネクタ１０に嵌合する場合について説明する。第１コネクタ２０を組み付けるには、まず第１カバー７０の内面上において、既述したように、コイル３０と、端子金具２１Ａ〜２１Ｃと、電線３５とが溶接により接続されてアッセンブリ化され、その状態から、ハウジング４０の端子収容部４１が、第１カバー７０に対して相対的に被せられる。  
第１カバー７０は、図１６及び図１７に示すように、上ロック片８０がハウジング４０の溝５８に、左右のガイドリブ８３がガイド溝６３に沿って押し込まれ、途中から上ロック片８０が係止突部５９に乗り上げて撓み変形し、またハウジング４０側の一対のカバーロック片６０は、ロック突部６１が左右の窓孔７６の外側の側縁に裏側から当たることで内方に撓み変形しつつ押し込まれる。また、第１端子金具２１Ａと第２端子金具２１Ｂの雌型接続部２２が、対応するキャビティ４５内に次第に挿入される。
【００３９】
第１カバー７０が正規に被着されると、鈎部８１が係止突部５９を越えることで、上ロック片８０が復元変形して鈎部８１が係止突部５９に係止するとともに、カバーロック片６０も、ロック突部６１が窓孔７６の側縁を越えることにより、復元変形しつつロック突部６１が左右の係止溝８２に嵌り、被着状態にロックされる。  
この間に、端子金具２１Ａ，２１Ｂの雌型接続部２２がキャビティ４５内に正規挿入され、金属ランス２８が係止部４７に一次係止されるとともに、第１カバー７０の載置部７３の上部側が雌型接続部２２の後面に係止し、二重に抜け止めするようになる。
【００４０】
また、コイル３０がコイル収容凹部５４に収容されつつ、第１カバー７０の保持凹部７１との間で挟まれて保持される。さらに、第１端子金具２１Ａと第２端子金具２１Ｂのリード部２５Ａ，２５Ｂと、第３端子金具２１Ｃとが、対応する端子収容溝５５に収容されるとともに、電線３５の被覆３７の端末が対応する電線収容溝５６に収容され、電線３５がハウジング４０の下縁から延出した状態とされる。特に、第１カバー７０の載置部７３が、端子金具２１Ａ、２１Ｂのリード部２５Ａ，２５Ｂの一部、また第３端子金具２５Ｃの一部を押さえてこれを保持する。
【００４１】
次に、ハウジング４０の電線収容部４２の後面に第２カバー９０が被せられる。第２カバー９０は、側板のロック突条９７がハウジング４０側の係止突条６４に乗り上げて、側板が開き変形しつつ押し込まれ、所定量押し込まれると、側板が復元変形してロック突条９７が係止突条６４に係止することによりロックされる。  
これにより、電線３５の被覆３７の端末が、食い込み突条９３，５７を食い込ませつつ挟持部９２と電線収容溝５６との間で挟まれて保持され、また押圧部９６が第２端子金具２１Ｂのリード部２５Ｂと、第３端子金具２１Ｃの一部を押さえてこれを保持する。
【００４２】
両カバー７０，９０の被着作業が済んだら、図２８の矢線に示すように、第１カバー７０の窓孔７６に向けて後面側から検知部材１００が差し込まれ、仮係止位置に保持される。  
ここで、第１カバー７０が相対的に所定量押し込まれていないと、図２９に示すように、カバーロック片６０が撓み空間６０Ａ側に撓み変形したままでロックされていない、すなわち半ロック状態のことがある。このとき、端子金具２１Ａ，２１Ｂの雌型接続部２２もキャビティ４５内に所定量挿入されず、金属ランス２８が係止されないおそれがある。この場合は、検知部材１００が差し込まれると、同図（Ｂ）に示すように、検知片１０３の先端が、撓み変形しているカバーロック片６０の先端に突き当たり、差し込みができない。これにより、第１カバー７０が半ロック状態にあることが検知される。  
そうしたら、第１カバー７０を改めて押し込む。これにより、図２８に示すように、第１カバー７０がロックされ、併せて端子金具２１Ａ，２１Ｂの雌型接続部２２もキャビティ４５内で係止される。
【００４３】
上記のように第１カバー７０が正規量押し込まれてロックされたら、カバーロック片６０が元姿勢に戻って撓み空間６０Ａから退避しているから、図３０に示すように、検知部材１００は、保持片１０７の保持突部１０９がカバーロック片６０の挿通溝６６を通りつつ押し込まれ、保持片１０７が内方に撓み変形して挿通溝６６の奥を乗り越えたのち、保持片１０７が復元変形して保持突部１０９が仮係止孔６７に嵌ることで、検知部材１００が仮係止位置に保持される。この仮係止位置では、検知片１０３の前側が撓み空間６０Ａに留まっていることで、カバーロック片６０の撓み変形が規制され、第１カバー７０は二重ロックされた状態となる。
【００４４】
このように、検知部材１００を仮係止位置に保持した状態において、同図の矢線に示すように、第１コネクタ２０のタワー部４４が、相手コネクタ１０のハウジング１１のガイド孔１２内に嵌合される。第１コネクタ２０は、ロック突条５１がハウジング１１の左右の口縁に当たることで、ハウジングロック片５０を内方に撓み変形させつつ押し込まれ、それとともに、第１端子金具２１Ａと第２端子金具２１Ｂの雌型接続部２２内に、対応する相手の端子ピン１３が次第に進入する。第１コネクタ２０が所定量嵌合されたら、図３１に示すように、ハウジングロック片５０が復元しつロック突条５１が、相手のハウジング１１側のロック溝１８に嵌ってロックされる。
【００４５】
第１コネクタ２０の相手のコネクタ１０に対する嵌合作業が済んだら、仮係止位置にある検知部材１００を本係止位置に向けて押し込む。  
ここで、第１コネクタ２０が所定量押し込まれていないと、図３２に示すように、ハウジングロック片５０が撓み空間５０Ａ側に撓み変形したままでロックされていない、すなわち半ロック状態のことがある。その場合は、同図に示すように、検知片１０３の先端が、撓み変形しているハウジングロック片５０の内面に突き当たり、それ以上の差し込みができない。これにより、第１コネクタ２０が半ロック状態にあることが検知される。そうしたら、第１コネクタ２０を再度押し込めばよい。
【００４６】
第１コネクタ２０が正規量押し込まれてロックされたら、ハウジングロック片５０が元姿勢に戻って撓み空間５０Ａから退避しているから、保持片１０７が内方に撓み変形したまま検知片１０３ともども撓み空間５０Ａに進入し、その後に、図３３に示すように、保持片１０７が復元変形して保持突部１０９が本係止孔６８に嵌ることで、検知部材１００が本係止位置に保持される。  
この間に、第１と第２の端子金具２１Ａ，２１Ｂの雌型接続部２２と相手の端子ピン１３とが正規に接続されるとともに、検知部材１００の解離片１０６が、ショート端子１５の接触片１６のテーパ部１６Ａを押すことにより外側に撓み変形させて端子ピン１３から離間させ、両端子ピン１３間の短絡状態が解除される。  
また、検知片１０３の前側がハウジングロック片５０の撓み空間５０Ａに留まっていることでその撓み変形が規制され、ハウジング１１，４０間が二重ロックされるとともに、検知片１０３の後側が引き続きカバーロック片６０の撓み空間６０Ａに留まってその撓み変形が規制され、第１カバー７０が引き続いて二重ロックされた状態となる。
【００４７】
次に、第２コネクタ１２０を相手コネクタ１０に嵌合する場合について説明する。  
第２コネクタ１２０を組み付けるには、第１コネクタ２０と同様、図９に示すように、第１カバー７０の内面上において、コイル３０と、端子金具２１Ａ〜２１Ｃと、電線３５とが溶接により接続されてアッセンブリ化され、続いて、第２端子金具２１Ｂのリード部２５Ｂと、第３端子金具２１Ｃとが折曲線ｓから直角曲げされて、電線３５が後方に延出した状態とされる。この状態から、ハウジング１２１の端子収容部４１が、第１カバー７０に対して相対的に被せられる。
【００４８】
第１カバー７０は同様に、上ロック片８０と、ハウジング１２１側の一対のカバーロック片６０とが撓み変形しつつ押し込まれる。また、第１端子金具２１Ａと第２端子金具２１Ｂの雌型接続部２２が、対応するキャビティ４５内に次第に挿入される。  
それとともに、第２端子金具２１Ｂのリード部２５Ｂと、第３端子金具２１Ｃにおける屈曲部から電線溶接部２７さらには電線３５が、ハウジング１２１の電線収容部１２２に形成された対応する収容溝１２３に対して、後端の開口から前方に向けて挿入される。
【００４９】
第１カバー７０が正規に被着されると、上ロック片８０が復元変形して係止突部５９に係止するとともに、カバーロック片６０も左右の係止溝８２に嵌って、被着状態にロックされる。この間に、図２６に示すように、端子金具２１Ａ，２１Ｂの雌型接続部２２がキャビティ４５内に正規挿入されて、金属ランス２８により一次係止されるとともに、第１カバー７０の載置部７３の上部側が雌型接続部２２の後面に係止し、二重に抜け止めするようになる。また、コイル３０がコイル収容凹部５４に収容されて保持凹部７１との間で挟まれて保持されるとともに、第１端子金具２１Ａと第２端子金具２１Ｂのリード部２５Ａ，２５Ｂの上部側と、第３端子金具２１Ｃとが、端子収容部４１側の対応する端子収容溝５５に収容され、第１カバー７０の載置部７３により押さえられて保持される。  
さらに、電線収容部１２２側では、収容溝１２３の平面部１２４に対して、第２端子金具２１Ｂのリード部２５Ｂと、第３端子金具２５Ｃにおける屈曲部から電線溶接部２７が載せられ、同円弧面部１２５に、電線３５の被覆３７の端末が載せられた状態となる。
【００５０】
次に、ハウジング１２１の電線収容部１２２の上面に、第３カバー１３０が被せられる。第３カバー１３０は、側板１３５のロック突条１３６がハウジング１２１側の係止突条１２８に乗り上げて、側板１３５が開き変形しつつ押し込まれ、所定量押し込まれると、側板１３５が復元変形してロック突条１３６が係止突条１２８に係止することでロックされる。  
これに伴い、第３カバー１３０に設けられた挟持部１３２が収容溝１２３の上面開口を通して進入し、電線３５の被覆３７の端末が、食い込み突条１３３，１２６を食い込ませつつ挟持部１３２と収容溝１２３の円弧面部１２５との間で挟まれて保持される。  
なお、上記において、第１カバー７０が正規に被着されていないと、第３カバー１３０が第１カバー７０に当たってその被着動作が妨げられるため、その場合は、第１カバー７０を改めて押してロックし、再度第３カバー１３０を被せればよい。
【００５１】
両カバー７０，１３０の被着作業が済んだら、第１コネクタ２０と同様に、第１カバー７０の窓孔７６に向けて後面側から検知部材１００が差し込まれ、仮係止位置に保持される。  
上記のように、第３カバー１３０を被着する時点で、第１カバー７０が半ロック状態にあった場合にこれが検知できるが、組み付けの公差等により、第３カバー１３０が被着されてもなお、第１カバー７０が半ロック状態に留め置かれることがあり得る。  
この場合は、既述したと同様に、検知部材１００が差し込まれた際に、検知片１０３の先端が撓み変形しているカバーロック片６０の先端に突き当たって差し込みができず、半ロック状態が検知される（図２９（Ｂ）参照）。そうしたら、第１カバー７０を改めて押し込めばよく、これにより第１カバー７０がロックされ、端子金具２１Ａ，２１Ｂの雌型接続部２２が半挿入状態であった場合は金属ランス２８で一次係止される。
【００５２】
第１カバー７０が正規量押し込まれてロックされたら、カバーロック片６０が元姿勢に戻って撓み空間６０Ａから退避しているから、検知部材１００は、保持片１０７を撓み変形させつつ押し込まれ、保持突部１０９が仮係止孔６７に嵌ることで仮係止位置に保持される（図３０（Ｂ）参照）。このとき、検知片１０３の前側が撓み空間６０Ａに留まってカバーロック片６０の撓み変形を規制することで、第１カバー７０は二重ロックされた状態となる。  
検知部材１００を仮係止位置に保持した状態において、第１コネクタ２０と同様に、第２コネクタ１２０のタワー部４４が、相手コネクタ１０のハウジング１１に嵌合され、第２コネクタ１２０は、ハウジングロック片５０を内方に撓み変形させつつ押し込まれ、それに伴い、第１端子金具２１Ａと第２端子金具２１Ｂの雌型接続部２２と、対応する相手の端子ピン１３とが次第に嵌合接続され、第２コネクタ１２０が所定量嵌合されたら、ハウジングロック片５０が復元しつつ、ロック突条５１が相手のハウジング１１側のロック溝１８に嵌ってロックされる（図３１（Ｂ）参照）。
【００５３】
第２コネクタ１２０の嵌合作業が済んだら、仮係止位置にある検知部材１００を本係止位置に向けて押し込む。第２コネクタ１２０の押し込み量が不足していると、ハウジングロック片５０が撓み空間５０Ａ側に撓み変形したままの半ロック状態のことがある。その場合は、検知片１０３の先端が撓み変形しているハウジングロック片５０の内面に突き当たって、それ以上の差し込みができないことにより、半ロック状態にあることが検知され（図３２（Ｂ）参照）、そのときは第２コネクタ１２０を再度押し込めばよい。
【００５４】
第２コネクタ１２０が正規量押し込まれてロックされたら、ハウジングロック片５０が元姿勢に戻って撓み空間５０Ａから退避しているから、保持片１０７が内方に撓み変形したまま検知片１０３ともども撓み空間５０Ａに進入し、その後に保持片１０７が復元変形して保持突部１０９が本係止孔６８に嵌ることで、検知部材１００が本係止位置に保持される（図３３（Ｂ）参照）。  
この間に同様に、第１と第２の端子金具２１Ａ，２１Ｂの雌型接続部２２と相手の端子ピン１３とが正規に接続されるとともに、検知部材１００の解離片１０６がショート端子１５の接触片１６と係合して端子ピン１３から離間させ、両端子ピン１３間の短絡状態が解除される。  
また、検知片１０３の前側がハウジングロック片５０の撓み空間６０Ａに留まってその撓み変形を規制し、ハウジング１１，１２１間が二重ロックされるとともに、検知片１０３の後側が引き続きカバーロック片６０の撓み空間６０Ａに留まって撓み変形を規制し、第１カバー７０が引き続いて二重ロックされた状態となる。
【００５５】
以上のように本実施形態によれば、第１コネクタ２０と第２コネクタ１２０の共に、検知部材１００により、第１カバー７０が正規に被着されたか否かを検知することができ、それに基づき正規に被着することによって、キャビティ４５に収容された端子金具２１Ａ，２１Ｂを二重係止する機能を確実に果たすことができる。しかも検知部材１００は、第１コネクタ２０または第２コネクタ１２０のハウジング４０，１２１と、相手コネクタ１０のハウジング１１との嵌合状態を検知する部材と兼用しているから、部品点数が減り、また装着スペース等も考慮してハウジング４０，１２１や第１カバー７０の構造もコンパクトにまとめることができる。  
また、第１カバー７０側の検知と、ハウジング４０（１２１）側の検知とを１つの検知片１０３で兼用したから、検知部材１００自身の構造がよりコンパクトにでき、併せて検知部材１００の装着スペースも小さく抑えることができる。
【００５６】
検知部材１００は、差し込み操作に伴い仮係止位置と本係止位置とに順次に保持できるようになっており、仮係止位置への差し込みに伴って第１カバー７０の被着状態が検知され、本係止位置への差し込みに伴い、ハウジング１１、４０（１２１）間の嵌合状態が検知されるようになっているから、両検知作業を、連続した動作で簡単に能率良く行うことができる。  
検知部材１００が仮係止位置に装着された状態では、検知片１０３がカバーロック片６０の撓み空間６０Ａに留まってその撓み変形を阻止することで、第１カバー７０を被着状態に二重ロックすることができ、また検知部材１００が本係止位置に装着された状態では、検知片１０３がハウジングロック片５０の撓み空間５０Ａとカバーロック片６０の撓み空間６０Ａの両方にわたって留まって撓み変形を阻止することで、第１カバー７０の引き続いた二重ロックと、ハウジング１１，４０（１２１）間の二重ロックの両方を図ることができる。
【００５７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）ハウジングロック片とカバーロック片とは、表裏に並ばずに離間した位置に設けられていてもよい。その場合は、検知部材には、それぞれの撓み空間に進入する個別の検知片を形成するようにしてもよい。  
（２）検知部材は、一旦仮係止位置に保持することなく、直接に本係止位置まで差し込む形式であってもよい。
【００５８】
（３）上記実施形態では、端子金具、コイル及び電線を第１カバー上でアッセンブリして、その状態でハウジングと組み付けるようにしたが、アッセンブリしたのち一旦第１カバーから外し、ハウジングに収容したのち改めて第１カバーを被着するようにしてもよい。  
（４）特に９０°タイプのコネクタでは、カバーを１枚で形成することも可能であり、本発明はそのようなものにも適用可能である。  
（５）端子金具とコイル、電線との接続は、上記実施形態に例示した溶接に限らず、圧着、圧接等の他の接続手段を用いてもよい。  
（６）ハウジングに収容するのは端子金具と電線のみとし、コイル等の他の電気部品を含まない形式のコネクタについても、本発明は同様に適用できる。
【図面の簡単な説明】
【００５９】
【図１】本発明の一実施形態に係る第１コネクタの分解斜視図
【図２】ハウジングの正面図
【図３】同背面図
【図４】図２のIV−IV線断面図
【図５】図３のV−V線断面図
【図６】第１コネクタのカバーを外した状態の背面図
【図７】溶接動作の説明図
【図８】第１カバーの縦断面図
【図９】溶接完了後のアッセンブリが装着された第１カバーの背面図
【図１０】第２カバーの背面図
【図１１】同平面図
【図１２】検知部材の平面図
【図１３】同縦断面図
【図１４】図１３のXIV−XIV線断面図
【図１５】第１コネクタの組み付け完了後で検知部材の装着前の状態を示す斜視図
【図１６】その縦断面図
【図１７】第１コネクタの組み付け完了後の平断面図
【図１８】第２コネクタの分解斜視図
【図１９】ハウジングの背面図
【図２０】同縦断面図
【図２１】同平断面図
【図２２】第３カバーの縦断面図
【図２３】同横断面図
【図２４】第２コネクタのカバーを外した状態の背面図
【図２５】第２コネクタの組み付け完了後で検知部材の装着前の状態を示す斜視図
【図２６】その縦断面図
【図２７】相手コネクタの正面図
【図２８】（Ａ）第１コネクタに検知部材を装着する前の状態の縦断面図、（Ｂ）同平断面図
【図２９】（Ａ）第１カバーの半ロック状態を検知した場合の縦断面図、（Ｂ）同平断面図
【図３０】（Ａ）第１コネクタを相手コネクタに嵌合する前の状態の縦断面図、（Ｂ）同平断面図
【図３１】（Ａ）第１コネクタが相手コネクタに嵌合された状態の縦断面図、（Ｂ）同平断面図
【図３２】（Ａ）第１コネクタの半嵌合状態を検知した場合の縦断面図、（Ｂ）同平断面図
【図３３】（Ａ）検知部材が本係止位置に保持された状態の縦断面図、（Ｂ）同平断面図
【符号の説明】
【００６０】
１０…相手コネクタ
１１…相手ハウジング
１８…ロック溝
２０…第１コネクタ
２１，２１Ａ，２１Ｂ，２１Ｃ…端子金具
２８…金属ランス
３０…コイル
３５…電線
４０…ハウジング
４１…端子収容部
４５…キャビティ
５０…ハウジングロック片
５０Ａ…（ハウジングロック片５０の）撓み空間
６０…カバーロック片
６０Ａ…（カバーロック片６０の）撓み空間
６７…仮係止孔
６８…本係止孔
７０…第１カバー
１００…検知部材
１０３…検知片（ハウジング用検知片、カバー用検知片）
１０７…保持片
１２０…第２コネクタ
１２１…ハウジング
【図１】
2006127803.tif 000003
【図２】
2006127803.tif 000004
【図３】
2006127803.tif 000005
【図４】
2006127803.tif 000006
【図５】
2006127803.tif 000007
【図６】
2006127803.tif 000008
【図７】
2006127803.tif 000009
【図８】
2006127803.tif 000010
【図９】
2006127803.tif 000011
【図１０】
2006127803.tif 000012
【図１１】
2006127803.tif 000013
【図１２】
2006127803.tif 000014
【図１３】
2006127803.tif 000015
【図１４】
2006127803.tif 000016
【図１５】
2006127803.tif 000017
【図１６】
2006127803.tif 000018
【図１７】
2006127803.tif 000019
【図１８】
2006127803.tif 000020
【図１９】
2006127803.tif 000021
【図２０】
2006127803.tif 000022
【図２１】
2006127803.tif 000023
【図２２】
2006127803.tif 000024
【図２３】
2006127803.tif 000025
【図２４】
2006127803.tif 000026
【図２５】
2006127803.tif 000027
【図２６】
2006127803.tif 000028
【図２７】
2006127803.tif 000029
【図２８】
2006127803.tif 000030
【図２９】
2006127803.tif 000031
【図３０】
2006127803.tif 000032
【図３１】
2006127803.tif 000033
【図３２】
2006127803.tif 000034
【図３３】
2006127803.tif 000035